(57)【要約】【課題】磁界通信時の利便性向上を図ることが可能な中継コイル並びにそれを備えた端末載置盤及びタブレット型端末用カバーの提供を目的とする。【解決手段】  本発明に係る中継コイル１０は、リーダライタ装置９２を内蔵したタブレット型端末９０の裏面９０Ｍに備えた読取部９３に宛がわれる第１コイル１１と、タブレット型端末９０の側方に配置されてＩＣカード９５が宛がわれる第２コイル１２とを備えることで、ＩＣカード９５とタブレット型端末９０との間を磁界通信可能に電磁結合する。【選択図】図５
2015091007.tif 000002
【特許請求の範囲】
【請求項１】
タブレット型端末（９０）の裏面（９０Ｍ）に備えた磁界通信部（９３）に一部が宛われた状態で前記タブレット型端末（９０）の側方に張り出し、その張り出し部分に宛われる前記ＩＣカード（９５）と前記タブレット型端末（９０）との間を磁界通信可能に電磁結合する中継コイル（１０）。
【請求項２】
前記タブレット型端末（９０）の前記磁界通信部（９３）に宛われる第１コイル（１１）と、前記第１コイル（１１）と別個に巻回されて前記ＩＣカード（９５）に宛われる第２コイル（１２）の末端部同士を接続してなることを特徴とする請求項１に記載の中継コイル（１０）。
【請求項３】
前記第１コイル（１１）と前記第２コイル（１２）との間に直列にコンデンサ（１７）を接続して前記磁界通信の周波数で共振する共振回路としたことを特徴とする請求項１又は２に記載の中継コイル（１０）。
【請求項４】
樹脂シート（１６）でラミネートされたことを特徴とする請求項１乃至３の何れか１の請求項に記載の中継コイル（１０）。
【請求項５】
前記第１コイル（１１）と前記第２コイル（１２）とを別個に樹脂シート（１６）でラミネートし、前記第１コイル（１１）と前記第２コイル（１２）との間を接続する接続線（１１３）を前記樹脂シート（１６）から露出させたことを特徴とする請求項３に記載の中継コイル（１１０）。
【請求項６】
タブレット型端末（９０）が裏面（９０Ｍ）を下にして載置される端末載置部（３３）を表側面（３１Ａ）の一部に備えた端末載置盤（３１）であって、
前記端末載置部（３３）に前記タブレット型端末（９０）を位置決めする端末位置決め部（３２）と、
前記端末載置盤（３０）の表側面（３０Ａ）のうち前記端末載置部（３３）とその側方位置とに跨って敷設された前記請求項１乃至５の何れか１の請求項に記載の中継コイル（１０）とを備えたことを特徴とする端末載置盤（３０）。
【請求項７】
前記中継コイル（１０）は、全体が矩形の樹脂シート（１６）でラミネートされ、
前記中継コイル（１０）を、前記端末載置部（３３）の一側辺から側方に張り出させた状態と、前記端末載置部（３３）のうち前記一側辺の隣の他の側辺から側方に張り出させた状態とに付け替え可能としたことを特徴とする請求項６に記載の端末載置盤（３０Ｗ）。
【請求項８】
タブレット型端末（９０）が、その裏面（９０Ｍ）を重ね合わせた状態で固定される後側カバー部（５１）と、
前記後側カバー部（５１）にヒンジ結合され、前記タブレット型端末（９０）の表側面に重ね合わせ可能な前側カバー部（５２）とを有したタブレット型端末用カバー（５０）であって、
前記請求項１乃至５の何れか１の請求項に記載の中継コイル（１０）が、前記後側カバー部（５１）と前記前側カバー部（５２）とのヒンジ結合部分（５３）を跨いで配置されて、その中継コイル（１０）の一部が前記後側カバー部（５１）における前記タブレット型端末（９０）の裏面（９０Ｍ）の磁界通信部（９３）との対向位置に固定されたことを特徴とするタブレット型端末用カバー（５０）。
【発明の詳細な説明】
【技術分野】
【０００１】
本発明は、タブレット型端末に備えた磁界通信部とＩＣカードとの通信に用いられる中継コイル並びにそれを備えた端末載置盤及びタブレット型端末用カバーに関する。
【背景技術】
【０００２】
近年、タブレット型端末として、ＩＣカードと磁界通信可能なリーダライタ装置を内蔵し、ＩＣカードが宛がわれる読取部を裏面に備えたものが知られている（例えば、特許文献１参照）。
【先行技術文献】
【特許文献】
【０００３】
【特許文献１】特開２０１３−１３１８０７号公報（段落［０００３］、図５）
【発明の概要】
【発明が解決しようとする課題】
【０００４】
しかしながら、上述したタブレット型端末では、読取部が裏面に配置されているため、ＩＣカードと通信を行うには、タブレット型端末を持ち上げたり裏返したりする必要が生じ、利便性に欠けるという問題があった。
【０００５】
本発明は、上記事情に鑑みてなされたものであり、磁界通信時の利便性向上が図られる中継コイル並びにそれを備えた端末載置盤及びタブレット型端末用カバーの提供を目的とする。
【課題を解決するための手段】
【０００６】
上記目的を達成するためになされた請求項１の発明に係る中継コイル（１０）は、タブレット型端末（９０）の裏面（９０Ｍ）に備えた磁界通信部（９３）に一部が宛われた状態でタブレット型端末（９０）の側方に張り出し、その張り出し部分に宛われるＩＣカード（９５）とタブレット型端末（９０）との間を磁界通信可能に電磁結合するところに特徴を有する。
【０００７】
請求項２の発明は、請求項１に記載の中継コイル（１０）において、タブレット型端末（９０）の磁界通信部（９３）に宛われる第１コイル（１１）と、第１コイル（１１）と別個に巻回されてＩＣカード（９５）に宛われる第２コイル（１２）との末端部同士を接続してなるところに特徴を有する。
【０００８】
請求項３の発明は、請求項１又は２に記載の中継コイル（１０）において、第１コイル（１１）と第２コイル（１２）との間に直列にコンデンサ（１７）を接続して磁界通信の周波数で共振する共振回路としたところに特徴を有する。
【０００９】
請求項４の発明は、請求項１乃至３の何れか１の請求項に記載の中継コイル（１０）において、樹脂シート（１６）でラミネートされたところに特徴を有する。
【００１０】
請求項５の発明は、請求項３に記載の中継コイル（１１０）において、第１コイル（１１）と第２コイル（１２）とを別個に樹脂シート（１６）でラミネートし、第１コイル（１１）と第２コイル（１２）との間を接続する接続線（１１３）を樹脂シート（１６）から露出させたところに特徴を有する。
【００１１】
請求項６の発明に係る端末載置盤（３０）は、タブレット型端末（９０）が裏面（９０Ｍ）を下にして載置される端末載置部（３３）を表側面（３１Ａ）の一部に備えた端末載置盤（３０）であって、端末載置部（３３）にタブレット型端末（９０）を位置決めする端末位置決め部（３２）と、端末載置盤（３０）の表側面（３１Ａ）のうち端末載置部（３３）とその側方位置とに跨って敷設された請求項１乃至５の何れか１の請求項に記載の中継コイル（１０）とを備えたところに特徴を有する。
【００１２】
請求項７の発明は、請求項６に記載の端末載置盤（３０Ｗ）において、中継コイル（１０）は、全体が矩形の樹脂シート（１６）でラミネートされ、中継コイル（１０）を、端末載置部（３３）の一側辺から側方に張り出させた状態と、端末載置部（３３）のうち一側辺の隣の他の側辺から側方に張り出させた状態とに付け替え可能としたところに特徴を有する。
【００１３】
請求項８の発明に係るタブレット型端末用カバー（５０）は、タブレット型端末（９０）が、その裏面（９０Ｍ）を重ね合わせた状態で固定される後側カバー部（５１）と、後側カバー部（５１）にヒンジ結合され、タブレット型端末（９０）の表側面に重ね合わせ可能な前側カバー部（５２）とを有したタブレット型端末用カバー（５０）であって、請求項１乃至５の何れか１の請求項に記載の中継コイル（１０）が、後側カバー部（５１）と前側カバー部（５２）とのヒンジ結合部分を跨いで配置されて、その中継コイル（１０）の一部が後側カバー部（５１）におけるタブレット型端末（９０）の裏面（９０Ｍ）の磁界通信部（９３）との対向位置に固定されたところに特徴を有する。
【発明の効果】
【００１４】
［請求項１，２の発明］
本発明では、タブレット型端末（９０）の裏側に備えた磁界通信部（９３）に中継コイル（１０）の一部を宛がった状態で、タブレット型端末（９０）の側方に張り出した部分にＩＣカード（９５）を宛がうことで、中継コイル（１０）を介してタブレット型端末（９０）とＩＣカード（９５）が通信可能に電磁結合される。このように、本発明によれば、タブレット型端末（９０）とＩＣカード（９５）との間で通信を行うために、タブレット型端末（９０）を持ち上げたり裏返す必要がなくなり、利便性向上が図られる。
【００１５】
ここで、中継コイル（１０）は、１つのコイル（１５）の内側に、磁界通信部（９３）に宛がわれる部分と、ＩＣカード（９５）に宛がわれる部分の両方が配置された構成であってもよいし、請求項２の発明のように、タブレット型端末（９０）の磁界通信部（９３）に宛がわれる第１コイル（１１）と、第１コイル（１１）と別個に巻回されてＩＣカード（９５）に宛がわれる第２コイル（１２）とを接続してなる構成であってもよい。なお、請求項２の発明において、第１コイル（１１）に複数の第２コイル（１２）が接続された構成であってもよい。
【００１６】
［請求項３の発明］
請求項３の発明によれば、タブレット型端末（９０）とＩＣカード（９５）との間の通信に必要な電力の伝送効率がよくなり、通信性が向上する。
【００１７】
［請求項４の発明］
請求項４の発明によれば、タブレット型端末（９０）の磁界通信部（９３）に宛がわれる部分に対する、ＩＣカード（９５）に宛がわれる部分の相対位置を固定することができる。
【００１８】
［請求項５の発明］
請求項５の発明によれば、タブレット型端末（９０）の磁界通信部（９３）に宛がわれる部分に対する、ＩＣカード（９５）に宛がわれる部分の相対位置を自由に移動させることができるので、中継コイル（１１０）の配置の自由度を高めることができる。
【００１９】
［請求項６，８の発明］
請求項６，８の発明によれば、タブレット型端末（９０）の磁界通信部（９３）に対する中継コイル（１０）の位置を固定することができるので、中継コイル（１０）と磁界通信部（９３）との間の電磁結合の安定化が図られる。
【００２０】
［請求項７の発明］
請求項７の発明によれば、中継コイル（１０）を、端末載置部（３３）の一側辺から側方に張り出した状態と、その一側辺の隣りの他の側片から側方に張り出した状態とに付け替えることで、端末載置盤（３０）においてＩＣカード（９５）を宛がう部分を容易に変更することができる。
【図面の簡単な説明】
【００２１】
【図１】第１実施形態に係る端末載置盤の分解斜視図
【図２】端末載置盤を裏側から見た分解斜視図
【図３】タブレット型端末を裏側から視た斜視図
【図４】（Ａ）端末載置盤の取付溝周辺の斜視図、（Ｂ）端末載置盤の取付溝周辺の斜視図
【図５】第１の中継コイルの斜視図
【図６】第２の中継コイルの斜視図
【図７】端末載置盤の（Ａ）正面図、（Ｂ）側断面図
【図８】第２実施形態に係る端末載置盤の分解斜視図
【図９】端末載置盤を裏側から見た分解斜視図
【図１０】端末載置盤の（Ａ）正面図、（Ｂ）背面図
【図１１】端末載置盤の（Ａ）正面図、（Ｂ）背面図
【図１２】第３実施形態に係るタブレット型端末用カバーの斜視図
【図１３】タブレット型端末に装着されたタブレット型端末用カバーの斜視図
【図１４】中継コイルの斜視図
【図１５】変形例に係る中継コイルの斜視図
【図１６】変形例に係る端末載置盤の正面図
【発明を実施するための形態】
【００２２】
［第１実施形態］
以下、本発明の第１実施形態を図１〜図６に基づいて説明する。図１に示すように、本実施形態の端末載置盤３０は、取付盤３１に中継コイル１０を取り付けてなる。取付盤３１の表側の面３１Ａ（以下、「表側面３１Ａ」と呼ぶ。）には、裏面９０Ｍを下にしたタブレット型端末９０を受容する四角形状の位置決め凹部３２（本発明の「端末位置決め部」に相当する。）が形成されている。そして、この位置決め凹部３２にタブレット型端末９０が受容されることで、タブレット型端末９０は、四方へ移動することを規制される。なお、取付盤３１の表側面３１Ａのうち位置決め凹部３２が形成された部分が、本発明の端末載置部３３になっている。
【００２３】
図３に示すように、タブレット型端末９０は、ＩＣカード９５と磁界通信可能なリーダライタ装置９２を内蔵し、タブレット型端末９０の裏面９０Ｍに設けられたリーダライタ装置９２のアンテナ部９３（本発明の「磁界通信部」に相当する。）にＩＣカード９５が宛がわれたときに、リーダライタ装置９２とＩＣカード９５のアンテナコイル９２Ａ，９５Ａ同士（図５参照）が電磁結合し、ＩＣカード９５の情報を読み取ったり、ＩＣカード９５に情報を書き込むことが可能となっている。なお、リーダライタ装置９２が読み取った情報は、タブレット型端末９０の表示画面９０Ｇにて確認することができる。
【００２４】
図１に示すように、取付盤３１の表側面３１Ａのうち位置決め凹部３２の側方には、カード載置部３４が設けられている。なお、カード載置部３４或いはその近傍には、ＩＣカード９５をカード載置部３４に宛がうことを示唆するメッセージやイラスト等が表示されている。
【００２５】
図２に示すように、取付盤３１の裏面３１Ｂには、端末載置部３３とカード載置部３４とを結ぶ方向に直線状に延びた取付凹部３５が設けられている。詳細には、取付凹部３５は、取付盤３１の外縁部から内側へ向かって延び、基端部がカード載置部３４の裏側に配置されると共に、先端部の溝底部分にて位置決め凹部３２に連通している。そして、タブレット型端末９０が位置決め凹部３２に受容されたとき、タブレット型端末９０のアンテナ部９３が取付凹部３５の底部に露出するようになっている。
【００２６】
図１に示すように、中継コイル１０は、四角形のシート状をなし、取付凹部３５に固定されている。中継コイル１０の固定は、接着剤やテープを用いてもよいし、取付凹部３５に中継コイル１０を抜け止めするための抜け止め機構を設けることでなされてもよい。なお、抜け止め機構は、図４（Ａ）に示すように、取付凹部３５の溝開口縁３５Ｋから内側に張り出した突片３５Ｔであってもよいし、図４（Ｂ）に示すように、取付凹部３５の幅が中継コイル１０の幅よりも小さい場合には、取付凹部３５の内面に形成されて中継コイル１０の両端部を受容する受容溝３５Ｍであってもよい。
【００２７】
詳細には、図５に示すように、中継コイル１０は、第１コイル１１と、第１コイル１１とは別個に巻回された第２コイル１２の末端同士を接続してなる。具体的には、第１コイル１１と第２コイル１２とは、１本の連続した導体で巻回されてなる。そして、第１コイル１１と第２コイル１２の法線が平行となるよう配置した状態で、全体が樹脂シート１６でラミネートされた構造になっている。図５に示す例では、第１コイル１１及び第２コイル１２は、四角形状に巻回され、それらコイル１１，１２の末端同士に挟まれたコイル間接続部１３，１３が直線状になっている。
【００２８】
そして、中継コイル１０が取付凹部３５に固定された状態で、第１コイル１１は、タブレット型端末９０のアンテナ部９３に宛がわれ、第２コイル１２は、カード載置部３４の裏側に配置される。なお、第１コイル１１の巻き数は、リーダライタ装置９２のアンテナコイル９２Ａの巻き数（例えば、４巻き）に一致し、第２コイル１２の巻き数は、ＩＣカード９５のアンテナコイル９５Ａの巻き数に一致している。第１コイル１１と第２コイル１２のコイル巻き数は、同じであってもよいし、異なっていてもよい。また、中継コイル１０を構成する線材としては、銅線やリッツ線等が挙げられる。
【００２９】
図６には、図５に示した中継コイル１０とは別の形態の中継コイル１０Ｖが示されている。この中継コイル１０Ｖは、アンテナ部９３に宛がわれる部分と、ＩＣカード９５に宛がわれる部分の両方が１つのコイル１５の内側に配置された構成となっている。なお、以下では、図５に示した中継コイル１０を第１の中継コイル１０と、図６に示した中継コイル１０Ｖを第２の中継コイル１０Ｖと称して、適宜、区別することにする。
【００３０】
次に、端末載置盤３０を用いて、ＩＣカード９５とタブレット型端末９０との間で磁界通信する方法について説明する。ＩＣカード９５とタブレット型端末９０との間で磁界通信するには、まず、図７（Ａ）に示すように、端末載置盤３０の端末載置部３３（位置決め凹部３２）に、タブレット型端末９０をセットする。なお、タブレット型端末９０の電源はオンされていて、リーダライタ装置９２で読み取った情報が表示画面９０Ｇに表示されるようになっている。
【００３１】
端末載置部３３にタブレット型端末９０がセットされると、図７（Ｂ）に示すように、タブレット型端末９０のアンテナ部９３に中継コイル１０の第１コイル１１が宛がわれた状態となり、リーダライタ装置９２のアンテナコイル９２Ａと第１コイル１１とが電磁結合する。具体的には、アンテナコイル９２Ａに起因した誘導電流が第１コイル１１に発生し、その誘導電流は、第２コイル１２にも流れる。
【００３２】
端末載置盤３０にタブレット型端末９０をセットした状態で、ＩＣカード９５に記録された情報を読み取るには、端末載置盤３０のカード載置部３４にＩＣカード９５を宛がえばよい。図７（Ｂ）に示すように、ＩＣカード９５がカード載置部３４に宛がわれると、ＩＣカード９５のアンテナ９５Ａと第２コイル１２とが電磁結合する。具体的には、上述した第２コイル１２を流れる誘導電流に起因した磁界がアンテナコイル９５内を貫き、アンテナコイル９５Ａにも電流が流れるようになる。このようにして、タブレット型端末９０とＩＣカード９５とが中継コイル１０を介して電磁結合され、タブレット型端末９０とＩＣカード９５との間で磁界通信可能となる。
【００３３】
このように、本実施形態の中継コイル１０によれば、タブレット型端末９０の裏側に備えたリーダライタ装置９２に中継コイル１０の第１コイル１１を宛がった状態で、タブレット型端末９０の側方に張り出した第２コイル１２にＩＣカード９５を宛がうことで、中継コイル１０を介してタブレット型端末９０とＩＣカード９５が磁界通信可能に電磁結合される。これにより、タブレット型端末９０とＩＣカード９５との間で磁界通信を行うために、タブレット型端末９０を持ち上げたり裏返す必要がなくなり、利便性向上が図られる。また、磁界通信時には、タブレット型端末の側方にＩＣカード９５が配置されるので、ＩＣカード９５でタブレット型端末９０の表示画面９０Ｇを覆うことがなく、タブレット型端末９０の表示が見やすい。
【００３４】
また、本実施形態の端末載置部３０によれば、タブレット型端末９０のアンテナ部９３に第１コイル１１を宛がった状態に中継コイル１０が固定されるので、第１コイル１０とリーダライタ装置９２との間の電磁結合の安定化が図られる。
【００３５】
［第２実施形態］
以下、本発明の第２実施形態を図８〜図１１に基づいて説明する。本実施形態に係る端末載置盤３０Ｗは、上記第１実施形態を変形したものであり、主として、取付盤３１Ｗの構成が異なっている。なお、中継コイルについては、上記第１実施形態で説明した第１と第２の中継コイル１０，１０Ｖの何れであってもよいが、図８〜図１１のれいでは、第１の中継コイル１０を用いた例が示されている。
【００３６】
図８に示すように、本実施形態の取付盤３１Ｗには、カード載置部３４が２つ設けられている。具体的には、一方のカード載置部３４Ａは、端末載置盤３１Ｗの表側面３１Ａのうち位置決め凹部３２の奥側に配置されている。また、他方のカード載置部３４Ｂは、位置決め凹部３２の右側に配置されている。
【００３７】
また、図８に示すように、取付盤３１Ｗには、中継コイル１０を取り付けるための取付凹部３５が２つ設けられている。具体的には、一方の取付凹部３５Ａは、端末載置部３３のうちタブレット型端末９０のアンテナ部９３が宛がわれる部分から縦方向に延びてカード載置部３５Ａの裏側を通過し、他方の取付凹部３５Ｂは、アンテナ部９３に宛がわれる部分から横方向に延びてカード載置部３５Ｂの裏側を通過する。なお、以下では、カード載置部３５Ａ，３５Ｂを、第１のカード載置部３５Ａ、第２のカード載置部３５Ｂと称して、適宜、区別することとし、取付凹部３５Ａ，３５Ｂを、第１の取付凹部３５Ａ、第２の取付凹部３５Ｂと称して、適宜、区別することにする。
【００３８】
中継コイル１０は、各取付凹部３５Ａ，３５Ｂに着脱可能に取り付けられる。具体的には、各取付凹部３５Ａ，３５Ｂには、上記第１実施形態で説明したのと同様に、抜け止め片又は抜け止め溝（共に図示せず）が形成されている。
【００３９】
図１０（Ａ）及び図１０（Ｂ）には、中継コイル１０が第１の取付凹部３５Ａに取り付けられた状態の端末載置盤３０Ｗが示されている。図１０（Ａ）に示すように、タブレット型端末９０が位置決め凹部３２にセットされると、図１０（Ｂ）に示すように、タブレット型端末９０のアンテナ部９３に中継コイル１０の第１コイル１１が宛がわれ、リーダライタ装置９２（図８参照）と中継コイル１０とが電磁結合する。そして、この状態で、第１のカード載置部３４ＡにＩＣカード９５を宛がわれると、リーダライタ装置９２とＩＣカード９５とが、中継コイル１０を介して電磁結合され、リーダライタ装置９２とＩＣカード９５との間で磁界通信が可能となる。
【００４０】
また、図１１（Ａ）及び図１１（Ｂ）には、中継コイル１０が第２の取付凹部３５Ｂに取り付けられた状態の端末載置盤３０Ｗが示されている。この場合においても、図１１（Ａ）に示すように、タブレット型端末９０が位置決め凹部３２にセットされると、リーダライタ装置９２（図８参照）と中継コイル１０とが電磁結合する。そして、第２のカード載置部３４ＢにＩＣカード９５を宛がわれると、リーダライタ装置９２とＩＣカード９５との間で磁界通信が可能となる。
【００４１】
端末載置盤３０Ｗのその他の構成については、上記第１実施形態の端末載置盤３０と同様になっているので、同一符号を付すことで、説明を省略する。
【００４２】
本実施形態の端末載置盤３０Ｗによれば、上記第１実施形態と同様の効果を奏することができる。また、本実施形態によれば、中継コイル１０を、端末載置部３３の右側に張り出した状態と、奥側に張り出した状態とに付け替えることで、端末載置盤３０ＷにおいてＩＣカード９５を宛がう部分を容易に変更することができる。
【００４３】
［第３実施形態］
以下、本発明の第３実施形態を図１２〜図１４に基づいて説明する。図１２に示すように、本実施形態に係るタブレット端末用ケース５０は、タブレット型端末９０の裏面９０Ｍに重ねられる後側カバー部５１と、タブレット型端末９０の表示画面９０Ｇに重ねられる前側カバー部５２とを備えている。後側カバー部５１及び前側カバー部５２の幅方向の一端部同士は、ヒンジ部５３を介して結合され、これにより、前側カバー部５２は、後側カバー部５１に対して見開き状に開くようになっている。なお、ヒンジ部５３の厚さは、タブレット型端末９０の厚さと同じになっている。
【００４４】
後側カバー部５１のうちヒンジ部５３と反対側の両隅部５１Ｓ，５１Ｓには、固定バンド５１Ａ，５１Ａが備えらている。そして、図１３に示すように、固定バンド５１Ａ，５１Ａにてタブレット型端末９０を厚さ方向に挟むことで、タブレット型端末９０にタブレット端末用ケース５１が装着される。
【００４５】
ところで、図１２に示すように、本実施形態のタブレット型端末用カバー５０では、ヒンジ部５３を跨いで後側カバー部５１と前側カバー部５２とに中継コイル１１０が固定されている。この中継コイル１１０は、図１３に示すように、第１コイル１１と、第１コイル１１とは別個に巻回された第２コイル１２の末端同士を接続してなる。詳細には、中継コイル１１０は、第１コイル１１と第２コイル１２を別々に樹脂シート１６でラミネートしてなる第１シート部１１１と第２シート部１１２とが、ケーブル部１１３（本発明の「接続線」に相当する。）で連絡された構造になっている。ケーブル部１１３は、第１コイル１１と第２コイル１２との連絡部分１３を絶縁被覆で一纏めにしてなる。
【００４６】
図１２に示すように、第１シート部１１１は、後側カバー部５１のうちタブレット型端末９０に宛がわれる面５１Ｍに固定されている。また、第２シート部１１２は、前側カバー部５２の見開き面５２Ｍに固定されている。なお、第１コイル１１と第２コイル１２の法線方向は、それぞれ、第１シート部１１１及び第２シート部１１２の厚さ方向に一致している。
【００４７】
本実施形態のタブレット型端末用カバー５０の構成に関する説明は以上である。次に、タブレット型端末用カバー５０の作用効果について説明する。
【００４８】
本実施形態のタブレット型端末用カバー５０によれば、タブレット型端末９０のアンテナ部９３に対する中継コイル１１０の位置を固定することができるので、中継コイル１１０とリーダライタ装置９２との間の電磁結合の安定化が図られる。
【００４９】
また、本実施形態の中継コイル１１０によれば、第２コイル１２の第１コイル１１に対する相対位置を自由に移動させることができる。これにより、第１コイル１１と第２コイル１２の配置が異なったタブレット型端末用カバー５０のラインナップを容易に増やすことができる。
【００５０】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００５１】
（１）図１５に示すように、第１の中継コイル１０における第１コイル１１と第２コイル１２との間（コイル間接続部１３）に、コンデンサ１７を設けて、リーダライタ装置９２とＩＣカード９５との間の通信周波数に共振周波数を一致した共振回路としてもよい。この構成によれば、第１コイル１１とリーダライタ装置９２のアンテナ９２Ａとの間、及び、第２コイル１２とＩＣカード９５のアンテナ９５Ａとの間での通信に必要な電力の伝送効率がよくなり、通信性が向上する。
【００５２】
（２）上記実施形態では、中継コイル１０が、タブレット型端末９０とＩＣカード９５との間の磁界通信に用いられていたが、タブレット型端末９０，９０同士の間で行う磁界通信に用いてもよい。
【００５３】
（３）上記第３実施形態では、後側カバー部５１をタブレット型端末に固定する手段が、固定バンド５１Ａ，５１Ａであったが、両面テープであってもよい。
【００５４】
（４）上記第２実施形態では、中継コイル１０は、端末載置盤３１Ｗに着脱可能に固定されていたが、端末載置盤３１Ｗに着脱不能に固定されてもよい。この構成によれば、中継コイル１０を端末載置盤３１Ｗに固定する際に、中継コイル１０の取り付け位置を選択することができる。
【００５５】
（５）上記第１，２実施形態において、中継コイル１０，１０Ｖの代わりに第３実施形態の中継コイル１１０を端末載置盤３１，３１Ｖに取り付けてもよい。また、上記第３実施形態において、中継コイル１１０の代わりに上記第１実施形態の中継コイル１０，１０Ｖを後側カバー部５１に固定してもよい。
【００５６】
（６）図１６に示す端末載置盤３０Ｘのように、取付盤３１Ｘの表側面３１Ａのうち端末載置部３３に載置されたタブレット型端末９０の周囲に突起３０Ｔを複数設けて、タブレット型端末９０を位置決めしてもよい。この場合、突起３０Ｔが本発明の「端末位置決め部」に相当する。
【００５７】
（７）第１コイル１１及び第２コイル１２は、銅線等のワイヤーで構成されてもよいし、プリント基板やフレキシブル基板上のパターンで構成されてもよい。
【符号の説明】
【００５８】
１０，１０Ｖ，１１０    中継コイル
１１    第１コイル
１２    第２コイル
１６    樹脂シート
１７    コンデンサ
３０，３０Ｗ    端末載置盤
３１，３１Ｗ    取付盤
３２    位置決め凹部（端末位置決め部）
３３    端末載置部
５０    タブレット型端末用カバー
５１    後側カバー部
５２    前側カバー部
９０    タブレット型端末
９２    リーダライタ装置
９３    アンテナ部（磁界通信部）
９５    ＩＣカード
１１３    ケーブル部（接続線）
【図１】
2015091007.tif 000003
【図２】
2015091007.tif 000004
【図３】
2015091007.tif 000005
【図４】
2015091007.tif 000006
【図５】
2015091007.tif 000007
【図６】
2015091007.tif 000008
【図７】
2015091007.tif 000009
【図８】
2015091007.tif 000010
【図９】
2015091007.tif 000011
【図１０】
2015091007.tif 000012
【図１１】
2015091007.tif 000013
【図１２】
2015091007.tif 000014
【図１３】
2015091007.tif 000015
【図１４】
2015091007.tif 000016
【図１５】
2015091007.tif 000017
【図１６】
2015091007.tif 000018